(57)【要約】      （修正有）【課題】利便性が高く、外観品質の良い舟型トートバッグを提供する。【解決手段】対向した一対の両側面部形成材１１、１２の左右方向両側端部が、縫合固定されて上端部には開口部１３が形成されると共に、前記一対の両側面部形成材の下端部が縫合固定されて前記開口部の平面面積よりも小さな平面面積を有するマチ底部１５が形成され、前記左右両側端部は、下端部において湾曲する輪郭線を有する一対の湾曲部１６、１７により前記マチ底部の左右方向両端部に連続するように形成され、前記マチ底部を厚さ方向に折り畳んだ場合には、両側面部の下端部の形状が逆台形状となるように形成された収納部１８を有するバッグであって、前記収納部内には、前記収納部の厚さ方向に収納空間を画成する仕切材１９が前記両側面部形成材に沿って設けられており、前記仕切材は、下端両側部は縫合されておらず、下端両側部以外の部位において前記両側面部形成材の両端部及び前記マチ底部の幅方向中央部に固定されている。【選択図】図１
0003215962.tif 000002
【実用新案登録請求の範囲】
【請求項１】
互いに対向して配置された一対の両側面部形成材の左右方向両側端部が、相互にマチ部が形成されない状態で縫合固定されて上端部には開口部が形成されると共に、前記一対の両側面部形成材の下端部が縫合固定されて前記開口部の平面面積よりも小さな平面面積を有するマチ底部が形成され、
前記左右両側端部は、下端部において湾曲する輪郭線を有する一対の湾曲部により前記マチ底部の左右方向両端部に連続するように形成され、前記マチ底部を厚さ方向に折り畳んだ場合には、両側面部の下端部の形状が逆台形状となるように形成された収納部を有するバッグであって、
前記収納部内には、前記収納部の厚さ方向に収納空間を画成する仕切材が前記両側面部形成材に沿って設けられており、
前記仕切材は、下端両側部は縫合されておらず、下端両側部以外の部位において前記両側面部形成材の両端部及び前記マチ底部の幅方向中央部に固定されていることを特徴とするバッグ。
【請求項２】
前記両側面部形成材は側面横長長方形状に形成されていると共に前記仕切材は逆台形状に形成され、前記仕切材は前記収納部の長さ方向全域に亘って配設され、前記収納部を２分割するように構成されていることを特徴とする請求項１記載のバッグ。
【請求項３】
前記仕切材は前記両側面部形成材の長さ寸法よりもやや小さい長さ寸法に形成されていることを特徴とする請求項２記載のバッグ。
【請求項４】
一方の両側面部形成材と前記仕切材とに第二の仕切材が縫合固定され、前記収納部内に小型収納が形成されていることを特徴とする請求項１記載のバッグ。
【請求項５】
前記両側面部形成材は帆布により形成されていることを特徴とする請求項１記載のバッグ。
【考案の詳細な説明】
【技術分野】
【０００１】
本考案は、物品を収納して持ち歩くためのバッグに関し、特にトートバッグの改良に関するものである。
【背景技術】
【０００２】
従来から、収納部の内部に仕切材が設けられ、多くの物品を仕分けて収納することができる利便性の良いバックがある（特許文献１，２等を参照）。
【０００３】
このようなバッグはいずれも全体縦長直方体形状に形成されており、特許文献２に開示された収納ケースにあっては、収納部内に長さ方向に沿って厚さ方向に内部を分割する仕切材が設けられ、収納物の収納の際の便宜を図っている。
【０００４】
一方、従来より、トートバッグに関しても、収納部が全体略縦長直方体状に形成されたものも流通している。このような全体略直方体形状の、いわゆる箱型トートバッグにあっては、厚さ方向中央部に長さ方向に沿って仕切材を設けることは困難ではなく、例えば、折り畳み可能な素材により形成した場合に厚さ方向に折り畳んだような場合であっても、外観品質を保持した状態で見栄え良く仕上げることができる。
【０００５】
この場合、トートバッグとしては、いわゆる舟型トートバッグと言われる形状のバッグも存在する。このような舟型トートバッグは、前記の箱型トートバッグとは異なり、収納部の左右両側端部は、下端部において湾曲する輪郭線を有する一対の湾曲部により前記マチ底部の左右方向両端部に連続するように形成され、前記マチ底部を幅方向に折り畳んだ場合には、両側面部の下端部の形状が逆台形状となるように形成された収納部を有している。
【０００６】
このような舟型トートバッグは、前記箱型トートバッグとの異なり、収納部の輪郭形状が微妙なカーブのラインを描くことから、より、見栄えがよく、外観品質に優れ、顧客需要もより大きい。
【０００７】
しかしながら、このような舟型トートバッグの内部に、厚さ方向中央部に、両側面部形成材の左右方向端部に両端部が縫合固定されると共に、下端部が底部に縫合固定された仕切材を設けた場合には、収納部内部に収納物を収納した場合には、収納物の影響により仕切材の形態が変化し、その仕切材の変化が両側面形成部材の外観形状に影響を及ぼし外観品質を低下させる場合があった。
【０００８】
従って、舟型トートバッグにあっては、顧客から利便性の観点から仕切材を設ける要請はあるが、舟型トートバッグの収納部の外観品質を保持しつつ仕切材を設けることはトートバッグ製作上、困難性を有していた。
【先行技術文献】
【特許文献】
【０００９】
【特許文献１】実用新案登録第３０６６７１３号公報
【特許文献２】特開２００１−７５６７６号公報
【考案の概要】
【考案が解決しようとする課題】
【００１０】
本考案は、以上のような従来の状況を鑑みてなされたものであって、その課題は、いわゆる舟型トートバッグにおいて、良好な外観品質を低下させることなく内部に仕切材を設け、多くの物品を仕分けて収納することができて利便性が高いうえに、使用時、折り畳み時ともに、外観品質の良い舟型トートバッグを提供することにある。
【課題を解決するための手段】
【００１１】
前記課題を解決するために、請求項１記載の考案にあっては、互いに対向して配置された一対の両側面部形成材の左右方向両側端部が、相互にマチ部が形成されない状態で縫合固定されて上端部には開口部が形成されると共に、前記一対の両側面部形成材の下端部が縫合固定されて前記開口部の平面面積よりも小さな平面面積を有するマチ底部が形成され、前記左右両側端部は、下端部において湾曲する輪郭線を有する一対の湾曲部により前記マチ底部の左右方向両端部に連続するように形成され、前記マチ底部を厚さ方向に折り畳んだ場合には、両側面部の下端部の形状が逆台形状となるように形成された収納部を有するバッグであって、前記収納部内には、前記収納部の厚さ方向に収納空間を画成する仕切材が前記両側面部形成材に沿って設けられており、前記仕切材は、下端両側部は縫合されておらず、下端両側部以外の部位において前記両側面部形成材の両端部及び前記マチ底部の幅方向中央部に固定されていることを特徴とする。
【００１２】
従って、請求項１記載の考案にあっては、前記仕切材により内部が前記両側面形成により仕切られたバッグが提供されると共に前記仕切材は下端両側部は縫合されていない。
【００１３】
請求項２記載の考案にあっては、前記両側面部形成材は側面横長長方形状に形成されていると共に前記仕切材は逆台形状に形成され、前記仕切材は前記収納部の長さ方向全域に亘って配設され、前記収納部を２分割するように構成されていることを特徴とする。
【００１４】
従って、請求項２記載の考案にあっては、前記仕切材は前記両側面形成材と同一の形状に形成されており、前記収納部は前記仕切材により２分割されているため、物品を分別して収納することができる。
【００１５】
請求項３記載の考案にあっては、前記仕切材は前記両側面部形成材の長さ寸法よりもやや小さい長さ寸法に形成されていることを特徴とする。
【００１６】
従って、請求項３記載の考案にあっては、使用時に、内部で前記仕切材が弛むことがない。
【００１７】
請求項４記載の考案にあっては、一方の両側面部形成材と前記仕切材とに第二の仕切材が縫合固定され、前記収納部内に小型収納が形成されていることを特徴とする。
【００１８】
従って、請求項４記載の考案にあっては、前記小型収納に、一般の前記収納物とは区別して収納したい物品、例えばペットボトルや水筒などを収納することができる。
【００１９】
請求項５記載の考案にあっては、前記両側面部形成材は帆布により形成されていることを特徴とする。
【００２０】
従って、請求項５記載の考案にあっては、帆布は丈夫なうえに、通気性が良いのに、雨などで濡れても、中まで水が達し難い。
【考案の効果】
【００２１】
請求項１記載のバッグにあっては、前記左右両側端部は、下端部において湾曲する輪郭線を有する一対の湾曲部により前記マチ底部の左右方向両端部に連続するように形成され、前記マチ底部を厚さ方向に折り畳んだ場合には、両側面部の下端部の形状が逆台形状となるように形成された収納部を有するバッグであって、前記収納部内には、前記収納部の厚さ方向に収納空間を画成する仕切材が前記両側面部形成材に沿って設けられており、前記仕切材は下端両側部は縫合されておらず、下端両側部以外の部位において前記両側面部形成材の両端部及び前記マチ底部の幅方向中央部に固定されている。
【００２２】
舟型の収納部を有するバッグの内部に、厚さ方向中央部において長さ方向に、両側面部形成材の左右方向端部及び底部に対して仕切材の全域が縫合固定された場合には、縫合固定部を介して仕切材が底部及び両側面部形成材と完全に一体として形成されることから、使用者が収納物を収納して手で保持した場合の仕切材の形状の変化、影響が両側面部形成材に表れて両側面部形成材の形態に影響があり、両側面部形成材の皺や型崩れとなる可能性がある。
【００２３】
しかしながら、請求項１記載の考案にあっては、前記仕切材は下端両側部は縫合されておらず、下端両側部以外の部位において前記両側面部形成材の両端部及び前記マチ底部の幅方向中央部に固定されていることから、使用者が収納物を収納して手で保持した場合の仕切材の形状の変化による影響を、縫合固定しない部位において逃がすことができる。
【００２４】
その結果、仕切材の形状の変化があった場合であっても両側面部形成材の形態に影響が表れることがなく、両側面形成材の皺や型崩れとなる事態を回避することが可能となり、収納部の舟型の形状の外観品質を保つことができる。
【００２５】
さらに、仕切材の下端部両側部を縫合固定しないことから、仕切材の周縁部全域を縫合固定する場合に比して縫合作業が容易となり、製作工数を低減することも可能となると共に製造コストを低減することができる。
【００２６】
例えば、特に、いわゆる舟型トートバッグにおいては、良好な外観品質を低下させることなく内部に仕切材を設け、多くの物品を仕分けて収納することができて利便性が高いうえに、使用時、折り畳み時ともに、外観品質の良い舟型トートバッグを提供することができる。
【００２７】
より具体的には、使用時は、物品を仕分けて収納することができて利便性が高いうえに、見栄えが良く、平置き状態にして店頭などに販売のために陳列する際や部屋に置いておく折り畳み時にも見栄えが良く、販売店などでは、その見栄えの良さで客の目を惹き、部屋などでは、その見栄えの良さからインテリアのように綺麗に見える。
【００２８】
請求項２記載のバッグにあっては、前記両側面部形成材は側面横長長方形状であるため開口部は大きく形成され、前記収納部は前記仕切材により２分割されているため、収納物を分別して安定した状態で収納することが可能となる。
また、前記仕切材は逆台形状に形成されていることから、両側面部形成部材と同一の形状であることから、両側面部形成部材の外観形状に影響を及ぼすことはない。
【００２９】
請求項３記載のバッグにあっては、前記仕切材は前記両側面部形成材の長さ寸法よりもやや小さい長さ寸法に形成されていることから、使用時に、内部で前記仕切材が弛むことがないので、例えば、開口部が被覆されていないトートバッグの場合には、前記開口部側から内部が視認されるが、収納部内部の見栄えがよい。
【００３０】
請求項４記載のバッグにあっては、一方の両側面部形成材と前記仕切材とに第二の仕切材が縫合固定され、前記収納部内に小型収納が形成されていることから、前記小型収納に、一般の前記収納物とは区別して収納したい物品、例えばペットボトルや水筒などを収納することができるので、より利便性が高い。
【００３１】
請求項５記載のバッグにあっては、前記両側面部形成材は帆布により形成されていることから、帆布は丈夫であって通気性が良いと共に、雨などで濡れても、中まで水が達し難いので、利便性や外観品質のみならず、耐久性や防水性や防カビ性などにも優れている。
【図面の簡単な説明】
【００３２】
【図１】図１は、本考案に係るバッグの一実施形態としてのトートバッグにおいて、使用時の状態の概略構成を示すと共に、仕切材の両側面部形成材及び底部への縫合部位を一点鎖線で示す側面図である。
【図２】図２は、本考案に係るバッグの一実施形態のトートバッグを、斜め上方から示す斜視図である。
【図３】図３は、本考案に係るバッグの一実施形態のトートバッグにおいて、折り畳み時の状態の表面側の概略構成を示す側面図である。
【図４】図４は、本考案に係るバッグの一実施形態のトートバッグにおいて、折り畳み時の状態の裏面側の概略構成を示す側面図である。
【図５】図５は、本考案に係るバッグの一実施形態のトートバッグの仕切材を示す部分側面図である。
【考案を実施するための形態】
【００３３】
以下、本考案に係るバッグを、一実施形態に基づき、図面を参照して説明する。
【００３４】
先ず、実施形態の構成について説明する。
図１〜図５は、本考案に係る実施形態のトートバッグ１０を説明するための図である。
【００３５】
この実施形態のトートバッグ１０は全体帆布製であって、図１〜図４に示したように、互いに対向して配置された一対の帆布により形成された両側面部形成材１１，１２の左右方向両側端部が、相互にマチ部が形成されない状態で縫合固定されて上端部には開口部１３が形成されると共に、一対の両側面部形成材１１，１２の下端部１４が縫合固定されて開口部１３の平面面積よりも小さな平面面積を有するマチ底部１５が形成されている。
【００３６】
さらに、両側面部形成材１１，１２の左右両側端部は、下端部において湾曲する輪郭線を有する一対の湾曲部１６，１７によりマチ底部１５の左右方向両端部に連続するように形成され、マチ底部１５を幅方向に折り畳んだ場合には、両側面部形成材１１，１２により形成される両側面部の下端部の形状が逆台形状となるように形成された収納部１８を有する、全体が所謂舟型のトートバッグとして形成されている。
【００３７】
そして、収納部１８内には、収納部１８の幅方向に収納空間を画成する両側面部形成材１１，１２と同じく帆布により形成された仕切材１９が両側面部形成材１１，１２に沿って設けられている。
【００３８】
そのうえで、仕切材１９は、図５に示すように、全体逆台形状に形成された布材により形成されており、図１及び図５において一点鎖線２７により示すように、下端２５の両側部２６、２６以外の部位において前記両側面部形成材１１、１２の両端部及び前記マチ底部１５の幅方向中央部に固定されている。
【００３９】
なお、両側面部形成材１１，１２は、図２に示すように、収納部１８側に縫い代２０が形成されるように縫合されており、仕切材１９の端部は上記縫い代２０に縫合されて固定されている。
【００４０】
また、図２に示すように、両側面部形成材１１，１２は側面横長長方形状に形成されていると共に、仕切材１９は収納部１８の長さ方向全域に亘って配設され、収納部１８を２分割するように構成され、２つの収納部１８ａ，１８ｂが形成されている。
【００４１】
さらに、図５に示す仕切材１９の長さ寸法Ｌは、両側面部形成材１１，１２の長さ寸法よりもやや小さい長さ寸法に形成されている。
【００４２】
また、裏面側の両側面部形成材１２と仕切材１９とに第二の仕切材２１がマチ底部１５の幅方向に沿って縫合固定され、収納部１８（１８ｂ）内に、両側面形成材１２、仕切材１９及び第二の仕切材２１により小型収納２２が形成されている。
【００４３】
さらに、表面側の両側面部形成材１１の内側面には、すなわち、収納部１８（１８ａ）内には、ポケット状の第二の小型収納２３が形成されている。
【００４４】
なお、両側面部形成材１１，１２の上端部には、略Ｕ字状の取手２４が夫々縫合固定して設けられている。
【００４５】
また、図４は、両側面部形成材１１，１２の下端部１４とマチ底部１５の構造が分かり易いように、通常時は折り畳み状態にされているところを、便宜上、捲り上げて図示している。
【００４６】
次に、この実施形態の作用効果について説明する。
【００４７】
この本考案の実施形態のトートバッグ１０は、図１〜図５に示すように、両側面部形成材１１，１２の左右両側端部は、下端部において湾曲する輪郭線を有する一対の湾曲部１６，１７によりマチ底部１５の左右方向両端部に連続するように形成され、マチ底部１５を厚さ方向に折り畳んだ場合には、両側面部形成材１１，１２により形成される両側面部の下端部の形状が逆台形状となるように形成された収納部１８を有するバッグである。
【００４８】
収納部１８内には、収納部１８の厚さ方向に収納空間を画成する仕切材１９が両側面部形成材１１，１２に沿って設けられており、仕切材１９は、下端部２５の両端部２６，２６以外の部位において、両側面部形成材１１，１２の両端部及びマチ底部１５の幅方向中央部に固定されている。
【００４９】
舟型の収納部１８を有するバッグの内部に、厚さ方向中央部において長さ方向に、両側面部形成材１１，１２の左右方向端部に両端部及び底部に、仕切材１９の全域が縫合固定された場合には、縫合固定部を介して仕切材１９が底部及び両側面部形成材１１，１２と完全に一体として形成されることから、使用者が収納物を収納して手で保持した場合の仕切材１９の形状の変化が両側面部形成材１１，１２に表れ、両側面部形成材１１，１２の形態に影響があり、両側面部形成材１１，１２の皺や型崩れの事態となる可能性がある。
【００５０】
しかしながら、本考案の実施形態のトートバッグ１０にあっては、仕切材１９は下端部両側部２６、２６以外の部位において両側面部形成材１１，１２の両端部及びマチ底部１５の幅方向中央部に固定されており、下端部両側部２６、２６は両側面部形成材１１，１２の両端部及びマチ底部１５には縫合固定されていないことから、使用者が収納物を収納して手で保持した場合の仕切材１９の形状の変化、影響を縫合固定しない部位である下端部両側部２６、２６において逃がすことができる。
【００５１】
その結果、仕切材１９の形状の変化があった場合であっても両側面部形成材１１，１２の形態に影響がなく、両側面形成材１１，１２の皺や型崩れとなる事態を回避することが可能となり、収納部の美しい舟型の形状を保てる。
【００５２】
さらに、湾曲部１６，１７を縫合固定する必要がないことから、縫合固定作業が容易となり、製作工数を低減することも可能となると共に製造コストを低減することもできる。
【００５３】
その結果、本実施形態に係る舟型トートバッグ１０においては、良好な外観品質を低下させることなく内部に仕切材１９を設け、多くの物品を仕分けて収納することができて利便性が高いうえに、使用時、折り畳み時ともに、外観品質の良い舟型トートバッグを提供することができる。
【００５４】
より具体的には、使用時は、物品を仕分けて収納することができて利便性が高いうえに、見栄えが良く、平置き状態にして店頭などに販売のために陳列する際や部屋に置いておく折り畳み時にも見栄えが良く、販売店などでは、その見栄えの良さで客の目を惹き、部屋などでは、その見栄えの良さからインテリアのように綺麗に見える。
【００５５】
また、両側面部形成材１１，１２は側面横長長方形状であるため、収納部１８の底まで手が届くうえに、収納部１８は仕切材１８により２分割されているため、２分割されて形成された収納部１８ａ，１８ｂは、ともに容量が大きいことから、収納部１８ａ，１８ｂ内の物品を取り出し易いうえに、２分割されて形成された収納部１８ａ，１８ｂは、ともに多くの物品を収納することができ、更に利便性が高い。
【００５６】
さらに、仕切材１９は両側面部形成材１１，１２の長さ寸法よりもやや小さい長さ寸法Ｌに形成されていることから、使用時に、内部で仕切材１９が弛むことがないため、トートバッグ１０を開口部１３側から見ても、見栄えがよい。
【００５７】
また、裏面側の両側面部形成材１１，１２と仕切材１９とに第二の仕切材２１が縫合固定され、収納部１８（１８ｂ）内に小型収納２２が形成されていることから、小型収納２２に、一般の収納物１８（１８ｂ）とは区別して収納したい物品、例えばペットボトルや水筒などを収納することができるので、更に利便性が高い。
【００５８】
さらに、表面側の両側面部形成材１１の内側面には、すなわち、収納部１８（１８ａ）内には、ポケット状の第二の小型収納２３が形成されていることから、この第二の小型収納２３に、一般の収納物１８（１８ａ）とは区別して収納したい物品、例えば、スマートフォンなどの携帯電話や財布などを収納することができるので、更により一層利便性が高い。
【００５９】
また、両側面部形成材１１，１２及び仕切材１９は帆布により形成されていることから、帆布は丈夫なうえに、通気性が良いのに、雨などで濡れても、中まで水が達し難いので、利便性や外観品質のみならず、耐久性や防水性や防カビ性などにも優れている。
【００６０】
さらに、両側面部形成材１１，１２の上端部には、取手２４が夫々縫合固定して設けられていることから、孔の持手が設けられているバッグに比して、より多くの物品を楽に持ち運ぶことができる。
【００６１】
以上、本考案に係るバッグの実施形態について図面を参照して詳述してきたが、具体的な構成は、この実施形態に限らず、本考案の要旨を逸脱しない程度の設計的変更は、本考案に含まれる。
【００６２】
例えば、上記した実施形態では、両側面部形成材１１，１２及び仕切材１９を帆布で形成したが、これに限定されず、その他の素材を用いて実施してもよい。
【００６３】
具体的には、より高級感を出すためには、本革や合成皮革などを使用して実施してもよい。
【産業上の利用可能性】
【００６４】
本考案に係るバッグは、多くの人々が購入し、使用することができるので、産業上の利用可能性を有している。
【符号の説明】
【００６５】
１０    トートバッグ（バッグ）
１１    両側面部形成材
１２    両側面部形成材
１３    開口部
１４    両側面部形成材の下端部
１５    マチ底部
１６    湾曲部
１７    湾曲部
１８    収納部
１８ａ  収納部
１８ｂ  収納部
１９    仕切材
２０    縫い代
２１    第二の仕切材
２２    小型収納
２３    第二の小型収納
２４    取手
２５  （仕切材の）下端
２６  （下端の）両側部
２７    一点鎖線
Ｌ      仕切材の長さ寸法
【図１】
0003215962.tif 000003
【図２】
0003215962.tif 000004
【図３】
0003215962.tif 000005
【図４】
0003215962.tif 000006
【図５】
0003215962.tif 000007